(57)【要約】【課題】  熱交換器に接続する給湯用接続口から給湯される湯温を個々に制御可能とし、給湯を必要とする箇所に応じた温度条件を設定できる給湯機を提供すること。【解決手段】  バーナー２１の上部に配置された熱交換器２２に連通する複数の給湯接続口１４，１６が設けられている。これら給湯接続口には、第１及び第２の給湯用配管Ｐ１，Ｐ２が接続されており、その下流端に第１及び第２の水栓１７，１８が配置されている。各給湯用配管Ｐ１，Ｐ２に供給される湯は、第１及び第２のリモートコントローラ１２，１３による設定温度によって独立して制御される。【選択図】          図１
2005055084.tif 000002
【特許請求の範囲】
【請求項１】
バーナーと、このバーナーの燃焼熱で水を加熱する熱交換器とを備えた給湯機において、
前記熱交換器に連通する複数の給湯接続口を設けるとともに、各給湯接続口から給湯される湯温をそれぞれ独立制御可能に設けたことを特徴とする給湯機。
【請求項２】
前記熱交換器と各給湯接続口との間に、遠隔操作可能な湯水混合装置がそれぞれ介装されていることを特徴とする請求項１記載の給湯機。
【請求項３】
バーナーと、このバーナーの燃焼熱で水を加熱する熱交換器とを備えた給湯機において、
前記熱交換器に連通する第１の給湯接続口と、湯水混合装置を介して熱交換器に連通する第２の給湯接続口とを備え、第２の給湯接続口を通じて給湯される湯温を第１の給湯接続口から給湯される湯温よりも低温にして給湯することを特徴とする給湯機。
【発明の詳細な説明】
【技術分野】
【０００１】
本発明は、給湯機に係り、更に詳しくは、熱交換器に連通する給湯接続口を複数設けるとともに、各接続口から給湯される湯温をそれぞれ独立して制御することのできる給湯機に関する。
【背景技術】
【０００２】
従来より、バーナーの上部に熱交換器を配置した給湯機を屋外に配置するとともに、その熱交換器から給湯用配管を通じて建物内に湯を供給できるように構成された給湯システムが知られている。この給湯システムにおける給湯機は、熱交換器と給湯接続口との間の配管上に湯水混合装置が設けられ、この湯水混合装置を経由した湯が給湯用配管上に設けられた複数の水栓を通じてそれぞれ分配されるようになっている。
【発明の開示】
【発明が解決しようとする課題】
【０００３】
しかしながら、このような給湯機にあっては、給湯機における一つの給湯接続口を通じて複数箇所の水栓に湯を分配する構成となっているため、全ての水栓に供給される湯温が同一になってしまうという不都合がある。すなわち、給湯システムは、単一の給湯機を利用して浴室、キッチン、洗面所等の各所に湯を供給できるように構成されている。従って、例えば、食器洗浄機における油汚れを除去するために適した温度である６０℃前後に給湯機側の温度を設定すると、キッチンでの通常洗浄温度（約４０℃）、浴室への給湯温度（約４２℃）よりも高温になる。この場合、浴槽やキッチンの水栓から出湯する湯温は、そのままでは６０℃前後の湯温となってしまうため、混合水栓を用いて水を混合させなければならないことになる。従って、水栓の操作を誤ってしまうと、水栓から思わぬ高温の湯が吐出してしまう場合がある、という不都合がある。また、浴槽等への給湯用配管には、常時６０℃前後の湯が流れるため、本来必要な給湯温度である４２℃前後で給湯した場合に比べて放熱による熱損失が大きくなる、という不都合もある。
【０００４】
本発明は、このような不都合に着目して案出されたものであり、その目的は、熱交換器に連通する給湯用接続口から給湯される湯温を個々に独立制御可能とし、給湯を必要とする箇所に応じた温度条件を設定できる給湯機を提供することにある。
【課題を解決するための手段】
【０００５】
前記目的を達成するため、本発明は、バーナーと、このバーナーの燃焼熱で水を加熱する熱交換器とを備えた給湯機において、
前記熱交換器に連通する複数の給湯接続口を設けるとともに、各給湯接続口から給湯される湯温をそれぞれ独立制御可能に設ける、という構成を採っている。
【０００６】
本発明において、前記熱交換器と各給湯接続口との間に、遠隔操作可能な湯水混合装置をそれぞれ介装する、という構成を採るとよい。
【０００７】
また、本発明は、バーナーと、このバーナーの燃焼熱で水を加熱する熱交換器とを備えた給湯機において、
前記熱交換器に連通する第１の給湯接続口と、湯水混合装置を介して熱交換器に連通する第２の給湯接続口とを備え、第２の給湯接続口を通じて給湯される湯温を第１の給湯接続口から給湯される湯温よりも低温にして給湯する、という構成を採ることができる。
【発明の効果】
【０００８】
本発明によれば、各給湯接続口から給湯される湯温が独立制御されるため、前記接続口毎に給湯用配管を接続することで、最適温度の出湯を行うことができる。従って、例えば、キッチンにおける油汚れの洗浄用の水栓から出湯する温度を６０℃前後に設定する一方、浴槽や洗面台の給湯温度をそれぞれ４２℃、４０℃程度に設定することで、利用目的に応じた最適条件での出湯を実現することができる。この場合、浴槽や洗面台では、高温状態のまま出湯されることはないので、水を混合水栓側で混合させる必要はない。また、給湯機側で温度を下げて給湯用配管内に湯を流通させることで、従来のような熱損失も抑制することができる。
【発明を実施するための最良の形態】
【０００９】
図１には、本発明の第１実施形態に係る給湯システムの概略構成が示されている。この図において、給湯システム１０は、給湯機１１と、当該給湯機１１に接続されるとともに、給湯機１１を遠隔操作する第１及び第２のリモートコントローラ１２，１３と、前記給湯機１１の外部二箇所に設けられた第１及び第２の給湯接続口１４,１５と、これら給湯接続口１４，１５にそれぞれ接続された第１及び第２の給湯用配管Ｐ１，Ｐ２と、各給湯用配管Ｐ１，Ｐ２の先端部若しくは途中に設けられた第１及び第２の水栓１７,１８と、給湯機１１に水を供給する給水管Ｐ３とを備えて構成されている。
【００１０】
給湯機１１は、外装ケース２０と、この外装ケース２０内に配置されたバーナー２１と、当該バーナー２１の上部に配置されて図示しない通水経路をなす熱交換管を内蔵した熱交換器（缶体）２２と、当該熱交換器２２と前記第１の給湯接続口１４との間とを連通させる内部配管２５と、当該内部配管２５の途中から分岐して前記第２の給湯接続口１５に連通する分岐配管２６と、前記熱交換器２２の上部と分岐配管２６上にそれぞれ配置された第１及び第２のサーミスタ２８，２９と、これらサーミスタ２８，２９の検出データを入力する制御装置３０と、前記分岐配管２６上であって第２のサーミスタ２９の上流側に配置された湯水混合装置としてのバルブ３１と、このバルブ３１と前記給水管Ｐ３との間を連通させるバイパス管３２とを備えて構成されている。
【００１１】
前記制御装置３０は、第１及び第２のリモートコントローラ１２，１３を通じて熱交換器１１の運転条件、例えば、温度や、運転時間等が設定され、これを記憶、更新できるようになっている。また、制御装置３０は、第１及び第２のサーミスタ２８，２９から与えられる温度検出データに基づいて、設定された温度との比較機能を含み、当該比較結果に応じてバーナーの出力制御や、バルブ３１の開度調整を行うように構成されている。
【００１２】
次に、第１実施形態における作用について説明する。
【００１３】
ここでは、説明の便宜上、第１の水栓１７がキッチンにおける油汚れ洗浄領域に配置されている一方、第２の水栓１８が浴槽内に配置されているものと仮定する。従って、制御装置３０の記憶部には、第１のリモートコントローラ１２を介して約６０℃が設定され、第２のリモートコントローラ１３を介して約４２℃が設定されることとなる。
【００１４】
第１の水栓１７を開くことによってバーナー２１が点火すると、給水管Ｐ３から熱交換器２２内に導入された水は、約６０℃の温度まで加熱され、第１の給湯用配管Ｐ１を通じて水栓１７から出湯することとなる。この際、第１のサーミスタ２８は温度を逐一検出して当該検出データを制御装置３０に与え、当該制御装置３０は、設定温度（約６０℃）と検出データとの比較結果に基づいてバーナー２１の出力制御を行って温度を安定化させる。
【００１５】
この一方、第２の水栓１８を開くと、熱交換器２２で６０℃まで加熱された湯は、バルブ３１にて水と混合されて第２の給湯用配管Ｐ２を通じて水栓１８から出湯される。バルブ３１を経た湯の温度は、第２のサーミスタ２９によって逐一検出され、その検出データを制御装置３０に与えることとなる。そして、制御装置３０では、設定温度（約４２℃）と検出データとを比較してバルブ３１の開度調整を行うこととなる。
【００１６】
従って、このような第１実施形態によれば、水栓が配置される個所に応じて温度設定しておき、その設定温度に対応して給湯接続口から給湯される湯温がそれぞれ独立制御されるため、意図しない高温となる出湯を回避することができる、という効果を得る。
【００１７】
次に、本発明の第２実施形態について、図２を参照しながら説明する。なお、以下の説明において、第１実施形態と同一若しくは同等の構成部分については同一符号を用いるものとし、説明を省略若しくは簡略にする。
【００１８】
この第２実施形態では、内部配管２５上に湯水混合装置を構成する第２のバルブ４０が設けられている。この第２のバルブ４０は、制御装置３０を介して開度調整可能に設けられている。また。第２のバルブ４０と前記給水管Ｐ３との間には第２のバイパス管４１が設けられているとともに、第２のバルブ４０の直近下流側に第３のサーミスタ４３が設けられている。その他の構成は、前記第１実施形態と略同一となっている。
【００１９】
このような第２実施形態では、熱交換器２２での湯温を約６０℃として設定した場合に、例えば、第１の水栓１４をキッチンのシンクに配置する一方、第２の水栓１８を浴槽や洗面台に配置することができる。従って、熱交換器２２から流出する湯は、バルブ３１，４０によってそれぞれ独立した状態で水と混合され、設定温度まで降下された湯が各水栓１７，１８を通じて出湯されるようになる。
【００２０】
従って、第２実施形態によっても第１実施形態と同様の効果を得ることができる他、第１実施形態に比べて熱損失を抑制することができる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、当業者が様々な変形を加えることができるものである。
従って、上記に開示した構成は、本発明の理解を容易にするために例示的に記載したものであり、本発明を限定するものではないから、給湯機自体の構造、設置条件、設置環境に応じて任意に設計変更することができる。
例えば、第１及び第２実施形態を組み合わせたり、更に、給湯用配管の数を増加させて個々に異なる温度の給湯を実現できるようにしてもよい。
【産業上の利用可能性】
【００２２】
本発明に係る給湯機は、一般家庭における住宅設備として利用することができる。
【図面の簡単な説明】
【００２３】
【図１】第１実施形態に係る給湯システムの概略構成図。
【図２】第２実施形態に係る給湯システムの概略構成図。
【符号の説明】
【００２４】
１０…給湯システム、１１…給湯機、１２…第１のリモートコントローラ、１３…第２のリモートコントローラ、２１…バーナー、２２…熱交換器、２８…第１のサーミスタ、２９…第２のサーミスタ、３０…制御装置、３１，４０…バルブ（湯水混合装置）Ｐ１…第１の給湯用配管、Ｐ２…第２の給湯用配管、Ｐ３…給水用配管
【図１】
2005055084.tif 000003
【図２】
2005055084.tif 000004